(57)【要約】【課題】ノズルからコーキング材が垂れ落ちることのないようにし、コーキング部分を美しく仕上げることができるコーキングガンを提供する。【解決手段】カートリッジ支持部３にセットしたカートリッジ容器２内のコーキング材を間欠的に押し出すコーキングガン１において、可動レバー８と戻り止め部材１５を連動し、ピストン杆送り部材１４に、このピストン杆送り部材１４の後退動時にピストン杆１０に係合し、ピストン杆１０を所定長さ引き戻す引き戻し部材２２を取り付け、可動レバー８を開放位置に戻すと、ピストン杆１０と共にカートリッジ容器２の底板２ａが少し後退し、カートリッジ容器２内のコーキング材を引き戻すことで、ノズル２ｂからのコーキング材の垂れ落ちの発生を防ぐ。【選択図】　図１
2004092206.tif 000002
【特許請求の範囲】
【請求項１】
カートリッジ支持部の後端に固定した固定レバーに可動レバーを取り付け、上記固定レバーの上端部に、カートリッジ支持部の長さ方向に移動自在となるよう貫通するピストン杆を設け、上記ピストン杆の途中に、後退位置への移動弾性が付勢された状態で、可動レバーと連動して前後に移動するピストン杆送り部材と、ピストン杆の後退動方向の移動を阻止する戻り止め部材を設け、可動レバーの握り込み作動毎に、ピストン杆送り部材と戻り止め部材の作用でピストン杆を間欠的に前進させるようにしたコーキングガンにおいて、
上記可動レバーと戻り止め部材を、可動レバーの握り込み作動時に戻り止め部材がピストン杆に対して後退動方向の移動を阻止する係合姿勢となり、可動レバーの握り込み開放時に戻り止め部材がピストン杆に対して開放姿勢となるよう連動し、上記ピストン杆送り部材に、このピストン杆送り部材の後退動時にピストン杆を所定長さ引き戻す引き戻し部材を配置したことを特徴とするコーキングガン。
【発明の詳細な説明】
【０００１】
【発明の属する技術分野】
この発明は、カートリッジ容器内に収納されたコーキング材を、建築工事における各種隙間や空間、目地等に充填するために用いるコーキングガンに関する。
【０００２】
【従来の技術】
建築工事におけるコーキング材の充填作業は、カートリッジ容器内に収納されたコーキング材と、このカートリッジ容器内からコーキング材を押し出すコーキングガンを用いて行うのが一般的である。
【０００３】
コーキング材は、先端にノズルを突設したカートリッジ容器内に収納され、コーキングガンは、このカートリッジ容器を保持すると共に、握りレバーの操作でピストン杆を間欠的に前進させることにより、カートリッジ容器の底板を押し込むことでコーキング材を加圧し、先端のノズルからコーキング材を吐出させるようになっている。
【０００４】
従来のコーキングガンは、カートリッジ容器よりも少し長く、断面略半円形で先端にカートリッジ容器の先端受け部を設けたカートリッジ支持部の後端に固定レバーを固定し、この固定レバーに可動レバーを取り付け、上記固定レバーの上端部に、カートリッジ支持部の軸心に沿う長さ方向に移動自在となるよう貫通するピストン杆を設け、上記ピストン杆の途中で固定レバーの上端に位置する部分に、ばねで後退位置への移動弾性が付勢された状態で、可動レバーと連動して前後に移動するピストン杆送り部材と、ばねでピストン杆に係合する弾性が付勢され、ピストン杆の後退動方向の移動を阻止する戻り止め部材を設けた構造になっている。
【０００５】
上記のようなコーキングガンは、戻り止め部材を前方へ手で押してピストン杆との係合を解いた状態で後方に引き戻し、カートリッジ支持部にカートリッジ容器をセットし、ピストン杆の先端をカートリッジ容器の底板に当接させ、この状態で可動レバーを握り操作すると、ピストン杆送り部材がピストン杆と係合した状態で前進し、この時、戻り止め部材はピストン杆の前進を許容し、ピストン杆の先端でカートリッジ容器の底板を押し込むことでコーキング材を加圧し、先端のノズルからコーキング材を吐出させる。
【０００６】
可動レバーの握りを解くと、ピストン杆送り部材が後退動する。この時、戻り止め部材がピストン杆の後退動を阻止することになり、ピストン杆は前進位置に停止したままとなる。
【０００７】
このように、可動レバーの握り操作毎に、ピストン杆送り部材と戻り止め部材の作用でピストン杆を間欠的に前進させ、先端のノズルからコーキング材を間欠的に吐出させるものである。
【０００８】
【発明が解決しようとする課題】
ところで、上記のような従来のコーキングガンは、ピストン杆を間欠的に前進させてコーキング材を吐出するようになっているので、カートリッジ容器の底板を押した前進位置で停止した時点で、カートリッジ容器内のコーキング材には余圧がかかった状態になり、このため、可動レバーの握りを解いた押し出し停止時毎に、コーキング材がノズルから垂れ落ちる事態が発生し、垂れ落ちたコーキング材がコーキング部分の仕上がり状態を低下させるという問題がある。
【０００９】
そこで、この発明の課題は、可動レバーの握りを解いた押し出し停止時に、ノズルからコーキング材が垂れ落ちることのないようにし、コーキング部分を美しく仕上げることができるコーキングガンを提供することにある。
【００１０】
【課題を解決するための手段】
上記のような課題を解決するため、この発明は、カートリッジ支持部の後端に固定した固定レバーに可動レバーを取り付け、上記固定レバーの上端部に、カートリッジ支持部の長さ方向に移動自在となるよう貫通するピストン杆を設け、上記ピストン杆の途中に、後退位置への移動弾性が付勢された状態で、可動レバーと連動して前後に移動するピストン杆送り部材と、ピストン杆の後退動方向の移動を阻止する戻り止め部材を設け、可動レバーの握り込み作動毎に、ピストン杆送り部材と戻り止め部材の作用でピストン杆を間欠的に前進させるようにしたコーキングガンにおいて、上記可動レバーと戻り止め部材を、可動レバーの握り込み作動時に戻り止め部材がピストン杆に対して後退動方向の移動を阻止する係合姿勢となり、可動レバーの握り込み開放時に戻り止め部材がピストン杆に対して開放姿勢となるよう連動し、上記ピストン杆送り部材に、このピストン杆送り部材の後退動時にピストン杆を所定長さ引き戻す引き戻し部材を配置した構成を採用したものである。
【００１１】
上記ピストン杆送り部材と戻り止め部材は、共に金属板にピストン杆が遊嵌する内径の孔を設けて形成され、ピストン杆送り部材は、ばねで後退位置への移動弾性が付勢された状態で、ピストン杆から少し離れた位置を可動レバーのピンで押されると、傾斜により孔がピストン杆に係合することでピストン杆を一体に前進動させ、可動レバーの握り開放時には、ピストン杆を残したままばねの押圧で後退位置へ戻ることになる。
【００１２】
また、戻り止め部材は、ばねで後方に傾斜するよう押圧され、ピストン杆の前進動時はばねを圧縮して前方に移動することで、ピストン杆との係合が生じないと共に、ピストン杆の後退動に対して係合するようになっている。
【００１３】
上記引き戻し部材は、ピストン杆送り部材の外径に対する取り付け部の後端側にピストン杆への係合爪を屈曲連成し、取り付け部の先端に外方への屈曲腕を連成して形成され、上記屈曲腕を、固定レバーの上端ヘッドに設けたガイド長孔の部分で保持し、ピストン杆送り部材と一体に前後方向への移動が可能となる配置になっている。
【００１４】
また、固定レバーの上端ヘッドには、ガイド長孔の後端位置に係合爪の上端が当接するカムが設けてあり、ピストン杆送り部材と共に引き戻し部材が後退動すると、引き戻し部材は、カムへの当接部分を支点にして係合爪がピストン杆に係合した状態で少し後退し、この後退動がピストン杆を少し引き戻すことになる。
【００１５】
このとき、可動レバーと戻り止め部材は、長い軸状のピンで連動されているので、可動レバーが開放位置に戻ると同時に戻り止め部材はピストン杆と係合しない姿勢に保持され、上記したピストン杆の引き戻しが支障なく行われることになる。
【００１６】
【発明の実施の形態】
以下、この発明の実施の形態を図示例と共に説明する。
【００１７】
図１のように、コーキングガン１は、カートリッジ容器２よりも少し長く、断面略半円形に形成されたカートリッジ支持部３の先端に、カートリッジ容器２の二又状先端受け部４を設け、このカートリッジ支持部３の後端壁５に固定レバー６を下方に突出するよう固定し、この固定レバー６の前部に枢軸７で可動レバー８が取り付けられている。
【００１８】
上記固定レバー６の上端がヘッド部９になり、このヘッド部９及びカートリッジ支持部３の後端壁５を、長い円軸状となるピストン杆１０が、カートリッジ支持部３の軸心に沿う長さ方向に移動自在となるよう貫通している。
【００１９】
このピストン杆１０には、先端にカートリッジ容器２の底板２ａを押圧するための円形押板１１が取り付けられ、後端には、ピストン杆１０を引き戻すための指かけ部材１２が設けてある。この指かけ部材１２は、図示のような円板状のものに限らず、ピストン杆１０の後端をＵ字状に屈曲させて形成してもよい。
【００２０】
上記円形押板１１には、図４（Ｂ）のように、先端面にカートリッジ容器２の底板２ａへ突き刺してねじ込み、円形押板１１と底板２ａを結合するための螺旋針１３を突設されている。
【００２１】
上記ピストン杆１０の途中で固定レバー６のヘッド部９に位置する部分に、ピストン杆送り部材１４と、その後方位置にピストン杆１０の後退動方向の移動を阻止する戻り止め部材１５が外嵌している。
【００２２】
上記ピストン杆送り部材１４は、図４（Ｂ）のように、ピストン杆１０に遊嵌する内径の孔１６を設けた金属板で形成され、孔１６がピストン杆１０に外嵌し、このピストン杆送り部材１４と後壁５との間に縮設したばね１７で後退位置への移動弾性が付勢され、ピストン杆送り部材１４の後面で下部の位置が可動レバー８の上端に設けたピン１８に当接又は枢止連結され、後退位置が規制されていると共に、可動レバー８は、上記ばね１７の弾性で固定レバー６に対して開いた姿勢になる。
【００２３】
可動レバー８を握って枢軸７を支点に固定レバー６側へ回動させると、ピン１８がピストン杆送り部材１４のピストン杆１０から少し離れた位置を押して前進させ、ピストン杆送り部材１４は傾斜により孔１６がピストン杆１０に係合することでピストン杆１０を一体に前進動させ、また、可動レバー８の握り開放時には、ピストン杆１０への係合がなく、ばね１７の押圧でピストン杆１０を残したまま後退位置へ戻ることになる。
【００２４】
また、戻り止め部材１５は、ピストン杆１０に遊嵌する内径の孔１９を設けた金属板で形成され、上端をヘッド部９で前後に揺動可能となるよう保持され、孔１９がピストン杆１０に外嵌し、この戻り止め部材１５とヘッド部９の後端との間に縮設したばね２０で、常時後方に傾動する弾性が付勢されている。
【００２５】
この戻り止め部材１５は、ピストン杆１０の前進動時はばね２０を圧縮して前方に移動することで、ピストン杆１０との係合が生じないと共に、ピストン杆１０の後退動に対して係合し、ピストン杆１０の後退動を阻止するようになっている。
【００２６】
上記可動レバー８の枢軸７よりも下方の位置と、戻り止め部材１５の下端部の位置が、長い軸状のピン２１で連動されている。この連動は、可動レバー８が開放姿勢にあるとき、戻り止め部材１５が垂直となるよう引っ張り、戻り止め部材１５がピストン杆１０と係合しない姿勢に保持され、手によるピストン杆１０の引き戻しを可能にしていると共に、可動レバー８を握ると戻り止め部材１５の引っ張りを解き、戻り止め部材１５がピストン杆１０に対して後退動しないように係合するようになっている。
【００２７】
上記固定レバー６のヘッド部９で、ピストン杆送り部材１４の上部の位置に、ピストン杆送り部材１４の後退動時にピストン杆１０に係合し、ピストン杆１０を所定長さ引き戻すための引き戻し部材２２を取り付け、ヘッド部９には、この戻し部材２２をピストン杆１０に係合させるためのカム２３が設けてある。
【００２８】
図４（Ａ）のように、上記引き戻し部材２２は、ピストン杆送り部材１４の外径上端に対する水平方向の取り付け部２４の後端側にピストン杆１０への係合爪２５を下方に向けて弧状に屈曲連成し、取り付け部２４の先端に外方へ突出する屈曲腕２６を連成して形成され、上記屈曲腕２６を、固定レバー６の上端ヘッド部９に設けたガイド長孔２７の部分で前後動が可能となるようガイドした配置になっている。
【００２９】
また、カム２３は、ガイド長孔２７の後端位置に、係合爪２５の上端部が当接するように設けられ、ピストン杆送り部材１４と共に引き戻し部材２２が後退動すると、引き戻し部材２２は、カム２３への当接部分を支点にして係合爪２５かピストン杆１０に係合した状態で少し後退し、この後退動でピストン杆１０を少し引き戻すようになっている。
【００３０】
この発明のコーキングガンは、上記のような構成であり、次にその使用方法を説明する。
【００３１】
図１に示すように、可動レバー８が開放姿勢にある状態で、ピストン杆１０を後方に引き戻し、カートリッジ支持部３にカートリッジ容器２をセットし、ピストン杆１０を前方に押してピストン杆１０の円形押板１１をカートリッジ容器２の底板２ａに当接させ、ピストン杆１０を回転させることで、螺旋針１３を底板２ａへ突き刺してねじ込み、円形押板１１と底板２ａを結合する。
【００３２】
この状態で、可動レバー８を握り込み操作すると、ピン１８で押されたピストン杆送り部材１４がピストン杆１０と係合した状態で前進し、この時、戻り止め部材１５は、後方に傾動するがピストン杆１０の前進を許容し、ピストン杆１０の円形押板１１でカートリッジ容器２の底板２ａをピストン杆１０の前進移動ストローク分だけ押し込むことでコーキング材を加圧し、先端のノズル２ｂから前進移動ストローク分のコーキング材を吐出させる。
【００３３】
可動レバー８の握りを開放した時は、ピストン杆送り部材１４がピストン杆１０を残したままばね１７の押圧で後退位置へ戻る。この時、ばね２０で後方に傾斜するよう押圧され、ピストン杆１０の後退動を阻止していた戻り止め部材１５は前方に引かれ、ピストン杆１０の後退動方向に対して係合していた状態が解除される。
【００３４】
上記ピストン杆送り部材１４が後退動して終端に近づくと、ピストン杆送り部材１４と一体に後退動する引き戻し部材２２は、カム２３への当接部分を支点にして係合爪２５がピストン杆１０に係合した状態で少し後退し、この後退動が前進位置にあるピストン杆１０を少し引き戻すことになる。
【００３５】
また、ピストン杆送り部材１４が後退動して終端に近づくと、可動レバー８は開放位置に戻り、この可動レバー８と戻り止め部材１５は、長い軸状のピン２１で連動されているので、可動レバー８が開放位置に戻ると同時に戻り止め部材１５はピストン杆１０と係合しない姿勢に保持され、従って、上記した引き戻し部材２２によるピストン杆１０の引き戻しが支障なく行われることになる。
【００３６】
上記のように、ピストン杆１０とカートリッジ容器２の底板２ａは螺旋針１３で結合されているので、ピストン杆１０と共に底板２ａが少し後退することになる。
【００３７】
ピストン杆１０を前進動させてカートリッジ容器２内のコーキング材を加圧により押し出した時、コーキング材には余圧が残っているが、押し出し完了後にピストン杆１０と共に底板２ａを少し後退させると、カートリッジ容器２内のコーキング材が引き戻されることになり、これにより、余圧を吸収してノズル２ｂからのコーキング材の垂れ落ちの発生を防ぐことができる。
【００３８】
このように、可動レバー８の握り込み操作毎に、ピストン杆送り部材１４と戻り止め部材１５の作用でピストン杆１０を間欠的に前進させ、先端のノズル２ｂからコーキング材を間欠的に吐出させると共に、ピストン杆１０の前進位置での停止毎に、ピストン杆送り部材１４と引き戻し部材２２及びカム２３で、ピストン杆１０と共に底板２ａを少し戻すことにより、コーキング材の吐出毎に垂れ落ちの発生を防止することになる。
【００３９】
【発明の効果】
以上のように、この発明によると、カートリッジ容器内のコーキング材を間欠的に押し出すコーキングガンにおいて、可動レバーと戻り止め部材を連動し、ピストン杆送り部材の周辺に、このピストン杆送り部材の後退動時にピストン杆に係合し、ピストン杆を所定長さ引き戻す引き戻し部材を配置したので、コーキング材の押し出し完了後に、可動レバーを開放位置に戻すと、ピストン杆と共にカートリッジ容器の底板を少し後退させることができ、カートリッジ容器内のコーキング材を加圧して押し出した時、コーキング材に残っている余圧を、この底板の後退で吸収でき、押し出し完了後にピストン杆と共に底板を少し後退させることで、カートリッジ容器内のコーキング材を引き戻し、ノズルからのコーキング材の垂れ落ちの発生を防ぐことができることになり、コーキング材の垂れ落ちによる無駄をなくし、コーキング部分を美しく仕上げることができる。
【図面の簡単な説明】
【図１】この発明のコーキングガンのコーキング材押し出し前の状態を示す要部縦断正面図
【図２】同上におけるコーキング材押し出し時の状態を示す要部縦断正面図
【図３】図１の要部を示す平面図
【図４】（Ａ）は引き戻し部材とピストン杆送り部材の関係を示す分解斜視図、（Ｂ）はピストン杆の先端に設けた円形押板とその螺旋針を示す正面図
【符号の説明】
１　　コーキングガン
２　　カートリッジ容器
３　　カートリッジ支持部
４　　先端受け部
５　　後端壁
６　　固定レバー
７　　枢軸
８　　可動レバー
９　　ヘッド部
１０　ピストン杆
１１　円形押板
１２　指かけ部材
１３　螺旋針
１４　ピストン杆送り部材
１５　戻り止め部材
１６　孔
１７　ばね
１８　ピン
１９　孔
２０　ばね
２１　軸状のピン
２２　引き戻し部材
２３　カム
２４　取り付け部
２５　係合爪
２６　屈曲腕
２７　ガイド長孔
【図１】
2004092206.tif 000003
【図２】
2004092206.tif 000004
【図３】
2004092206.tif 000005
【図４】
2004092206.tif 000006